(57)【要約】【課題】切替部を挟んで配置される搬送ローラー間で原稿が搬送力を失って停止する可能性を低減可能な原稿搬送装置、画像読取装置、及び原稿搬送方法を提供すること。【解決手段】画像形成装置は、切替部１５を挟んで設けられる搬送ローラー１３Ｅ、搬送ローラー１３Ｇ、及び搬送ローラー１３Ｃと、搬送路１２を搬送される原稿の搬送方向における長さを検出する検出処理部と、前記検出処理部によって検出される原稿の長さが搬送ローラー１３Ｇと搬送ローラー１３Ｃとの間の経路長よりも短い場合に、第４搬送路１２Ｄの利用を制限して原稿を第３搬送路１２Ｃから排紙部１４に排出させる搬送制御部と、を備える。【選択図】図４
2018191196.tif 000002
【特許請求の範囲】
【請求項１】
原稿から画像を読み取る画像読取部による画像読取位置を経由する第１搬送路から搬送される前記原稿を排紙部に導く第２搬送路と前記第１搬送路及び前記第２搬送路の接続部から前記第１搬送路上の前記原稿の搬送方向における前記画像読取位置の上流側に至る第３搬送路との間における前記原稿の搬送可否を切り替え可能な切替部と、
前記第１搬送路上の前記原稿の搬送方向において前記切替部の上流側に設けられた最後の第１搬送ローラーと、
前記第２搬送路から前記第３搬送路に向けて搬送される前記原稿の搬送方向において前記切替部の上流側に設けられた最後の第２搬送ローラーと、
前記第３搬送路で搬送される前記原稿の搬送方向において前記切替部の下流側に設けられた最初の搬送ローラーであって、前記第２搬送ローラーとの間の経路長が前記第１搬送ローラーと前記第２搬送ローラーとの間の経路長よりも長い第３搬送ローラーと、
前記原稿の搬送方向における長さが前記第２搬送ローラーと前記第３搬送ローラーとの間の経路長よりも短いか否かを、前記第２搬送ローラーによる前記原稿の搬送可能期間経過前に検出する検出処理部と、
前記検出処理部によって検出される前記原稿の長さが前記第２搬送ローラーと前記第３搬送ローラーとの間の経路長よりも短い場合に、前記第３搬送路の利用を制限して前記原稿を前記第２搬送路から前記排紙部に排出させる搬送制御部と、
を備える原稿搬送装置。
【請求項２】
前記検出処理部は、前記原稿の搬送方向における長さを検出し、
前記搬送制御部は、前記検出処理部によって検出される前記原稿の長さが前記第１搬送ローラーと前記第２搬送ローラーとの間の経路長よりも短い場合に、前記原稿の搬送を停止させる、
請求項１に記載の原稿搬送装置。
【請求項３】
前記切替部は、前記第１搬送路に沿って搬送される前記原稿の搬送先を前記第２搬送路及び前記第２搬送路とは別に前記第１搬送路から搬送される前記原稿を前記排紙部に導く第４搬送路のいずれかに切り替え可能であって、
前記原稿搬送装置は、
前記第４搬送路上の前記原稿の搬送方向において前記切替部の下流側に設けられた最初の搬送ローラーであって、前記第１搬送ローラーとの間の経路長が当該第１搬送ローラーと前記第２搬送ローラーとの間の経路長よりも長い第４搬送ローラーを備え、
前記検出処理部は、前記原稿の搬送方向における長さが前記第１搬送ローラーと前記第４搬送ローラーとの間の経路長よりも短いか否かを、当該原稿が前記切替部に到達する前に検出し、
前記搬送制御部は、前記原稿の搬送先として前記第４搬送路が選択されている場合であって前記検出処理部によって検出される前記原稿の長さが前記第１搬送ローラーと前記第４搬送ローラーとの間の経路長よりも短い場合は、前記原稿の搬送先を前記第２搬送路に切り替える、
請求項１又は２に記載の原稿搬送装置。
【請求項４】
請求項１〜３のいずれかに記載の原稿搬送装置と、
前記画像読取部と、
を備える画像読取装置。
【請求項５】
前記第３搬送路を通過前の前記原稿から前記画像読取部によって読み取られる画像データを前記原稿の第１面の画像データとして取得し、前記第３搬送路を通過後の前記原稿から前記画像読取部によって読み取られる画像データを前記原稿の第２面の画像データとして取得する第１取得処理部と、
前記搬送制御部によって前記原稿が前記第２搬送路から前記排紙部に排出される場合に、前記排紙部に排出される特定原稿の第２面の画像データが読み取られていない旨を報知する報知処理部と、
前記報知処理部による報知後に受け付けられるユーザー操作に応じて前記原稿の一方の面の画像データを読み取る片面読取処理を実行し、前記片面読取処理によって読み取られる画像データを前記特定原稿の第２面の画像データとして取得する第２取得処理部と、
を備える請求項４に記載の画像読取装置。
【請求項６】
前記第２取得処理部は、前記片面読取処理の実行中に前記検出処理部によって検出される前記原稿の長さが前記特定原稿と一致しない場合にその旨を報知し、報知後に受け付けられるユーザー操作に応じて前記片面読取処理によって読み取られる画像データを前記特定原稿の第２面の画像データとして取得する、
請求項５に記載の画像読取装置。
【請求項７】
原稿から画像を読み取る画像読取部による画像読取位置を経由する第１搬送路から搬送される前記原稿を排紙部に導く第２搬送路と前記第１搬送路及び前記第２搬送路の接続部から前記第１搬送路上の前記原稿の搬送方向における前記画像読取位置の上流側に至る第３搬送路との間における前記原稿の搬送可否を切り替え可能な切替部と、前記第１搬送路上の前記原稿の搬送方向において前記切替部の上流側に設けられた最後の第１搬送ローラーと、前記第２搬送路から前記第３搬送路に向けて搬送される前記原稿の搬送方向において前記切替部の上流側に設けられた最後の第２搬送ローラーと、前記第３搬送路で搬送される前記原稿の搬送方向において前記切替部の下流側に設けられた最初の搬送ローラーであって、前記第２搬送ローラーとの間の経路長が前記第１搬送ローラーと前記第２搬送ローラーとの間の経路長よりも長い第３搬送ローラーと、を備える原稿搬送装置で実行される原稿搬送方法であって、
前記原稿の搬送方向における長さが前記第２搬送ローラーと前記第３搬送ローラーとの間の経路長よりも短いか否かを、前記第２搬送ローラーによる前記原稿の搬送可能期間経過前に検出することと、
前記原稿の長さが前記第２搬送ローラーと前記第３搬送ローラーとの間の経路長よりも短い場合に、前記第３搬送路の利用を制限して前記原稿を前記第２搬送路から前記排紙部に排出させることと、
を含む原稿搬送方法。
【発明の詳細な説明】
【技術分野】
【０００１】
本発明は、原稿搬送装置、原稿搬送装置を備える画像読取装置、及び原稿搬送装置で実行される原稿搬送方法に関する。
【背景技術】
【０００２】
原稿から画像を読取可能な画像読取装置には、原稿を搬送するＡＤＦのような原稿搬送装置が設けられる（例えば、特許文献１参照）。この原稿搬送装置では、原稿の搬送路に沿って配置された複数の搬送ローラーによって原稿が画像読取位置を通過して搬送される。
【０００３】
また、前記画像読取位置を通過した原稿の表裏を反転させて、当該原稿を前記画像読取位置へ再搬送可能な原稿搬送装置が知られている。例えば、前記画像読取位置を経由する第１搬送路と、前記第１搬送路から搬送される原稿を排紙部に導く第２搬送路と、前記第１搬送路及び前記第２搬送路の接続部から前記第１搬送路上の原稿の搬送方向における前記画像読取位置の上流側に至る第３搬送路と、を備える原稿搬送装置が知られている。この種の原稿搬送装置には、前記第２搬送路から前記第３搬送路に向けて搬送される原稿の搬送可否を切り替え可能な切替部が前記接続部に設けられる。
【先行技術文献】
【特許文献】
【０００４】
【特許文献１】特開２００６−２６１８４７号公報
【発明の概要】
【発明が解決しようとする課題】
【０００５】
ところで、前記切替部を備える原稿搬送装置では、前記第１搬送路上の原稿の搬送方向において前記切替部の直前に配置される第１搬送ローラーとの抵触を避けるために、前記第３搬送路上の原稿の搬送方向における前記切替部の直後に配置される第３搬送ローラーが、前記第１搬送ローラーよりも、前記切替部から離れて配置されることがある。この場合、前記第２搬送路において前記第２搬送路から前記第３搬送路に向けて搬送される原稿の搬送方向における前記切替部の直前に配置される第２搬送ローラーと前記第３搬送ローラーとの間の経路長が長距離化する。そこで、このような原稿搬送装置では、前記第２搬送ローラーと前記第３搬送ローラーとの間の経路長に基づいて、当該原稿搬送装置における原稿の搬送可能サイズが設定される。
【０００６】
一方、画像読取装置による画像読取の対象となる原稿には、前記搬送可能サイズよりサイズが小さい原稿も含まれる。そのため、原稿搬送装置では、前記搬送可能サイズよりサイズが小さい原稿が搬送されるケースが考えられる。ここで、原稿搬送装置で前記搬送可能サイズ未満のサイズの原稿が搬送される場合において、当該原稿の搬送方向における長さが前記第２搬送ローラーと前記第３搬送ローラーとの間の経路長に満たない場合には、当該原稿が前記第２搬送ローラーと前記第３搬送ローラーとの間で搬送力を失って停止することが考えられる。
【０００７】
本発明の目的は、切替部を挟んで配置される搬送ローラー間で原稿が搬送力を失って停止する可能性を低減可能な原稿搬送装置、画像読取装置、及び原稿搬送方法を提供することにある。
【課題を解決するための手段】
【０００８】
本発明の一の局面に係る原稿搬送装置は、切替部と、第１搬送ローラーと、第２搬送ローラーと、第３搬送ローラーと、検出処理部と、搬送制御部と、を備える。前記切替部は、原稿から画像を読み取る画像読取部による画像読取位置を経由する第１搬送路から搬送される前記原稿を排紙部に導く第２搬送路と前記第１搬送路及び前記第２搬送路の接続部から前記第１搬送路上の前記原稿の搬送方向における前記画像読取位置の上流側に至る第３搬送路との間における前記原稿の搬送可否を切り替え可能である。前記第１搬送ローラーは、前記第１搬送路上の前記原稿の搬送方向において前記切替部の上流側に設けられた最後の搬送ローラーである。前記第２搬送ローラーは、前記第２搬送路から前記第３搬送路に向けて搬送される前記原稿の搬送方向において前記切替部の上流側に設けられた最後の搬送ローラーである。前記第３搬送ローラーは、前記第３搬送路で搬送される前記原稿の搬送方向において前記切替部の下流側に設けられた最初の搬送ローラーであって、前記第２搬送ローラーとの間の経路長が前記第１搬送ローラーと前記第２搬送ローラーとの間の経路長よりも長い。前記検出処理部は、前記原稿の搬送方向における長さが前記第２搬送ローラーと前記第３搬送ローラーとの間の経路長よりも短いか否かを、前記第２搬送ローラーによる前記原稿の搬送可能期間経過前に検出する。前記搬送制御部は、前記検出処理部によって検出される前記原稿の長さが前記第２搬送ローラーと前記第３搬送ローラーとの間の経路長よりも短い場合に、前記第３搬送路の利用を制限して前記原稿を前記第２搬送路から前記排紙部に排出させる。
【０００９】
本発明の一の局面に係る画像読取装置は、前記原稿搬送装置と、前記画像読取部とを備える。
【００１０】
本発明の他の局面に係る原稿搬送方法は、原稿から画像を読み取る画像読取部による画像読取位置を経由する第１搬送路から搬送される前記原稿を排紙部に導く第２搬送路と前記第１搬送路及び前記第２搬送路の接続部から前記第１搬送路上の前記原稿の搬送方向における前記画像読取位置の上流側に至る第３搬送路との間における前記原稿の搬送可否を切り替え可能な切替部と、前記第１搬送路上の前記原稿の搬送方向において前記切替部の上流側に設けられた最後の第１搬送ローラーと、前記第２搬送路から前記第３搬送路に向けて搬送される前記原稿の搬送方向において前記切替部の上流側に設けられた最後の第２搬送ローラーと、前記第３搬送路で搬送される前記原稿の搬送方向において前記切替部の下流側に設けられた最初の搬送ローラーであって、前記第２搬送ローラーとの間の経路長が前記第１搬送ローラーと前記第２搬送ローラーとの間の経路長よりも長い第３搬送ローラーと、を備える原稿搬送装置で実行され、前記原稿の搬送方向における長さが前記第２搬送ローラーと前記第３搬送ローラーとの間の経路長よりも短いか否かを、前記第２搬送ローラーによる前記原稿の搬送可能期間経過前に検出することと、前記原稿の長さが前記第２搬送ローラーと前記第３搬送ローラーとの間の経路長よりも短い場合に、前記第３搬送路の利用を制限して前記原稿を前記第２搬送路から前記排紙部に排出させることと、を含む。
【発明の効果】
【００１１】
本発明によれば、切替部を挟んで配置される搬送ローラー間で原稿が搬送力を失って停止する可能性を低減可能な原稿搬送装置、画像読取装置、及び原稿搬送方法が実現される。
【図面の簡単な説明】
【００１２】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置のＡＤＦの構成を示す図である。
【図４】図４は、本発明の実施形態に係る画像形成装置のＡＤＦの構成を示す図である。
【図５】図５は、本発明の実施形態に係る画像形成装置のＡＤＦの構成を示す図である。
【図６】図６は、本発明の実施形態に係る画像形成装置で実行される第１搬送制御処理の一例を示すフローチャートである。
【図７】図７は、本発明の実施形態に係る画像形成装置で実行される第２搬送制御処理の一例を示すフローチャートである。
【図８】図８は、本発明の実施形態に係る画像形成装置で実行される片面読取処理の一例を示すフローチャートである。
【発明を実施するための形態】
【００１３】
以下、添付図面を参照しながら、本発明の実施形態について説明し、本発明の理解に供する。なお、以下の実施形態は、本発明を具体化した一例であって、本発明の技術的範囲を限定するものではない。
【００１４】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１５】
画像形成装置１０は、原稿から画像データを読み取るスキャン機能、及び画像データに基づいて画像を形成するプリント機能と共に、ファクシミリ機能、及びコピー機能などの複数の機能を有する複合機である。ここに、画像形成装置１０が、本発明における画像読取装置の一例である。なお、本発明は、スキャナー装置、ファクシミリ装置、及びコピー機などの画像読取装置に適用可能である。
【００１６】
図１及び図２に示されるように、画像形成装置１０は、ＡＤＦ１、画像読取部２、画像形成部３、給紙部４、制御部５、及び操作表示部６を備える。
【００１７】
ＡＤＦ１は、画像読取部２によって読み取られる原稿を搬送する。ＡＤＦ１については後段で詳述する。
【００１８】
画像読取部２は、原稿から画像データを読み取ることが可能である。具体的に、画像読取部２は、原稿台、光源、複数のミラー、光学レンズ、及びＣＣＤを備える。
【００１９】
画像形成部３は、画像読取部２で読み取られた画像データに基づいて、電子写真方式で画像を形成することが可能である。また、画像形成部３は、外部のパーソナルコンピューター等の情報処理装置から入力された画像データに基づいて、電子写真方式で画像を形成することも可能である。具体的に、画像形成部３は、感光体ドラム、帯電装置、光走査装置、現像装置、転写ローラー、クリーニング装置、定着ローラー、加圧ローラー、及び排紙部を備える。なお、画像形成部３は、インクジェット方式などの他の画像形成方式により画像を形成するものであってもよい。
【００２０】
給紙部４は、画像形成部３にシートを供給する。具体的に、給紙部４は、給紙カセット、及び複数の搬送ローラーを備える。画像形成装置１０では、給紙部４から供給されるシートにカラー又はモノクロの画像が形成されて、画像形成後の前記シートが前記排紙トレイに排出される。
【００２１】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＲＯＭに予め記憶された各種の制御プログラムが前記ＣＰＵによって実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２２】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２３】
［ＡＤＦ１の構成］
次に、図２〜図５を参照しつつ、ＡＤＦ１の構成について説明する。ここで、図３〜図５はＡＤＦ１の構成を示す断面模式図である。なお、図３にはＡＤＦ１によって搬送される原稿の第１経路Ｒ１が破線の矢印によって示されている。また、図４にはＡＤＦ１によって搬送される原稿の第２経路Ｒ２が破線の矢印によって示されている。また、図５にはＡＤＦ１によって搬送される原稿の第３経路Ｒ３が破線の矢印によって示されている。
【００２４】
図２及び図３に示されるように、ＡＤＦ１は、原稿載置部１１、搬送路１２、搬送ローラー１３Ａ〜１３Ｇ、排紙部１４、切替部１５、及び原稿センサー１６を備える。
【００２５】
原稿載置部１１には、ＡＤＦ１によって搬送される原稿が載置される。
【００２６】
図３に示されるように、原稿載置部１１の一部は、ＡＤＦ１の筐体１Ａ（図３参照）の上部によって覆われている。原稿載置部１１における筐体１Ａによって覆われた部分の上方には、搬送ローラー１３Ａが配置されている。搬送ローラー１３Ａは、不図示のモーターから供給される回転駆動力を受けて回転し、原稿載置部１１に載置された原稿のうち最上層の原稿を搬送路１２へ搬送する。
【００２７】
搬送路１２は、ＡＤＦ１の筐体１Ａ内に形成された原稿の移動通路である。図３に示されるように、搬送路１２は、第１搬送路１２Ａ、第２搬送路１２Ｂ、第３搬送路１２Ｃ、及び第４搬送路１２Ｄを含む。
【００２８】
第１搬送路１２Ａは、原稿載置部１１から画像読取部２による画像読取位置Ｐ１（図３参照）を経由して第２搬送路１２Ｂ、第３搬送路１２Ｃ、及び第４搬送路１２Ｄとの接続部１２１（図３参照）に続く原稿の移動通路である。図３に示されるように、第１搬送路１２Ａは、原稿載置部１１からＡＤＦ１の筐体１Ａ内部へ向けて概ね水平方向（図３における紙面左右方向）に延出する延出部、前記延出部から下方（図３における紙面下方向）へＣ字状に折り返して画像読取位置Ｐ１へ至る折り返し部、及び前記折り返し部から上方（図３における紙面上方向）へ傾斜して延出する傾斜部によって構成される屈曲路である。画像読取位置Ｐ１は、第１搬送路１２Ａにおける筐体１Ａの底部に設けられた開口部と対向する位置である。画像読取位置Ｐ１では、前記開口部を経由して画像読取部２の前記光源から射出される光が照射される。
【００２９】
図３に示されるように、第１搬送路１２Ａには、搬送ローラー１３Ｂ〜１３Ｅが配置されている。搬送ローラー１３Ｂ〜１３Ｅは、前記モーターから供給される回転駆動力を受けて回転し、第１搬送路１２Ａ内の原稿を図３に示される搬送方向Ｄ１に搬送する。搬送ローラー１３Ｂ〜１３Ｄは、第１搬送路１２Ａにおける画像読取位置Ｐ１より搬送方向Ｄ１の上流側で、搬送方向Ｄ１に沿って搬送ローラー１３Ｂ、搬送ローラー１３Ｃ、及び搬送ローラー１３Ｄの順に設けられる。図３に示されるように、第１搬送路１２Ａにおける搬送ローラー１３Ｂ及び搬送ローラー１３Ｃの間には、第４搬送路１２Ｄとの接続部１２２が形成されている。搬送ローラー１３Ｅは、第１搬送路１２Ａにおける画像読取位置Ｐ１より搬送方向Ｄ１の下流側に設けられる。
【００３０】
搬送ローラー１３Ｂは、搬送ローラー１３Ａによって原稿載置部１１から搬送される原稿を搬送方向Ｄ１の下流側へ搬送する。なお、原稿載置部１１から複数枚の原稿が搬送された場合は、搬送ローラー１３Ｂに対向して配置された分離ローラーによって当該複数枚の原稿が分離される。搬送ローラー１３Ｃは、搬送ローラー１３Ｂによって搬送される原稿のスキュー補正に用いられる。具体的に、ＡＤＦ１では、搬送ローラー１３Ｂによる原稿の搬送中に搬送ローラー１３Ｃの回転が停止されて、原稿に所定量の撓みが形成されるまでの間、原稿の先端が搬送ローラー１３Ｃに突き当てられる。これにより、原稿の姿勢が、当該原稿の先端部が搬送方向Ｄ１に対して垂直になる姿勢に整えられて、原稿の搬送方向Ｄ１に対する傾きが補正される。搬送ローラー１３Ｄは、搬送ローラー１３Ｃによって搬送される原稿を画像読取位置Ｐ１へ搬送する。搬送ローラー１３Ｅは、画像読取位置Ｐ１を通過した原稿を搬送方向Ｄ１の下流側へ搬送する。
【００３１】
第２搬送路１２Ｂは、接続部１２１から排紙部１４に至る原稿の移動通路であって、第１搬送路１２Ａから搬送される原稿を排紙部１４に導く。第２搬送路１２Ｂは、画像読取位置Ｐ１を通過して画像が読み取られた原稿の排紙部１４への排出に用いられる。図３に示されるように、第２搬送路１２Ｂは、接続部１２１から概ね水平方向に延出する直進路である。
【００３２】
図３に示されるように、第２搬送路１２Ｂには、搬送ローラー１３Ｆが配置されている。搬送ローラー１３Ｆは、前記モーターから供給される回転駆動力を受けて回転し、第２搬送路１２Ｂ内の原稿を図３に示される搬送方向Ｄ２に搬送する。
【００３３】
第３搬送路１２Ｃは、接続部１２１から第２搬送路１２Ｂとは別に排紙部１４に至る原稿の移動通路であって、第１搬送路１２Ａから搬送される原稿を排紙部１４に導く。第３搬送路１２Ｃは、画像読取位置Ｐ１を通過して画像が読み取られた原稿を反転させて画像読取位置Ｐ１に再搬送するために用いられる。即ち、ＡＤＦ１において、第３搬送路１２Ｃは、以下に述べる搬送ローラー１３Ｇ、第４搬送路１２Ｄ、及び切替部１５と共に、画像読取位置Ｐ１を通過後の原稿の表裏を反転させて、原稿を画像読取位置Ｐ１に再搬送する反転機構の一部を構成する。図３に示されるように、第３搬送路１２Ｃは、接続部１２１から概ね水平方向に延出する直進路である。ＡＤＦ１では、第２搬送路１２Ｂ及び第３搬送路１２Ｃが、共通の延出方向（搬送方向Ｄ２に沿う方向）に沿って形成されている。第３搬送路１２Ｃは、第２搬送路１２Ｂより上側に形成される。
【００３４】
図３に示されるように、第３搬送路１２Ｃには、搬送ローラー１３Ｇが配置されている。搬送ローラー１３Ｇは、前記モーターから供給される回転駆動力を受けて回転し、第３搬送路１２Ｃ内の原稿を図４に示される搬送方向Ｄ３に搬送する。また、搬送ローラー１３Ｇは、前記モーターから供給される回転駆動力を受けて逆回転し、第３搬送路１２Ｃ内の原稿を図５に示される搬送方向Ｄ４に搬送する。
【００３５】
第４搬送路１２Ｄは、接続部１２１から第１搬送路１２Ａ上の搬送方向Ｄ１における画像読取位置Ｐ１の上流側の接続部１２２に至る原稿の移動通路である。第４搬送路１２Ｄは、第３搬送路１２Ｃと共に、画像読取位置Ｐ１を通過して画像が読み取られた原稿を反転させて画像読取位置Ｐ１に再搬送するために用いられる。図３に示されるように、第４搬送路１２Ｄは、接続部１２１から上方向へ傾斜して延出する直進路である。
【００３６】
排紙部１４には、ＡＤＦ１によって搬送された原稿が排出される。具体的に、排紙部１４では、第２搬送路１２Ｂ及び第３搬送路１２Ｃで搬送される原稿が排出される。なお、ＡＤＦ１において、第３搬送路１２Ｃで搬送される原稿が排出される排紙トレイが排紙部１４とは別に設けられていてもよい。
【００３７】
切替部１５は、第１搬送路１２Ａに沿って搬送される原稿の搬送先を、第２搬送路１２Ｂ（本発明における第４搬送路の一例）及び第３搬送路１２Ｃのいずれかに切り替え可能である。具体的に、切替部１５は、接続部１２１において、図３に示される第１位置と、図４に示される第２位置との間を揺動可能に設けられたガイド部材である。例えば、切替部１５は、不図示の駆動部から供給される駆動力を受けて前記第１位置と前記第２位置との間を揺動可能である。
【００３８】
ＡＤＦ１では、切替部１５が前記第１位置に配置されている場合（図３参照）に、第１搬送路１２Ａから搬送方向Ｄ１に搬送される原稿が第２搬送路１２Ｂに案内される。一方、ＡＤＦ１では、切替部１５が前記第２位置に配置されている場合（図４参照）に、第１搬送路１２Ａから搬送方向Ｄ１に搬送される原稿が第３搬送路１２Ｃに案内される。
【００３９】
また、切替部１５は、第３搬送路１２Ｃと第４搬送路１２Ｄとの間における原稿の搬送可否を切り替え可能である。具体的に、ＡＤＦ１では、切替部１５が前記第１位置に配置されている場合（図５参照）に、第３搬送路１２Ｃと第４搬送路１２Ｄとの間において原稿を搬送可能である。一方、ＡＤＦ１では、切替部１５が前記第２位置に配置されている場合（図４参照）に、第３搬送路１２Ｃと第４搬送路１２Ｄとの間において原稿を搬送することができない。
【００４０】
原稿センサー１６は、搬送路１２を搬送される原稿を検出可能なセンサーである。例えば、原稿センサー１６は、発光部と受光部とを有する反射型又は透過型の光センサーである。例えば、原稿センサー１６は、第１搬送路１２Ａにおける接続部１２２と搬送ローラー１３Ｃとの間の検出位置Ｐ２（図３参照）に設けられる。原稿センサー１６は、検出位置Ｐ２における原稿の有無に応じた検出信号を出力する。原稿センサー１６から出力される前記検出信号は、制御部５に入力される。例えば、制御部５は、前記検出信号に基づいて、前記スキュー補正が行われる際の搬送ローラー１３Ｂの回転を制御する。
【００４１】
ＡＤＦ１では、原稿載置部１１に載置された原稿の表面（第１面）から画像が読み取られる場合に、原稿載置部１１に載置された原稿が図３に示される第１経路Ｒ１に沿って搬送される。具体的に、第１経路Ｒ１は、原稿載置部１１から第１搬送路１２Ａ、及び第２搬送路１２Ｂを経由して排紙部１４に至る原稿の搬送経路である。
【００４２】
一方、ＡＤＦ１では、原稿載置部１１に載置された原稿の表面（第１面）及び裏面（第２面）から画像が読み取られる場合に、原稿載置部１１に載置された原稿が図４に示される第２経路Ｒ２に沿って搬送され、その後図５に示される第３経路Ｒ３に沿って搬送される。具体的に、第２経路Ｒ２は、原稿載置部１１から第１搬送路１２Ａを経由して第３搬送路１２Ｃの搬送ローラー１３Ｇに至る原稿の搬送経路である。また、第３経路Ｒ３は、第３搬送路１２Ｃの搬送ローラー１３Ｇから第４搬送路１２Ｄ、第１搬送路１２Ａの画像読取位置Ｐ１、及び第２搬送路１２Ｂを経由して排紙部１４に至る原稿の搬送経路である。
【００４３】
ところで、ＡＤＦ１では、第１搬送路１２Ａ上の原稿の搬送方向Ｄ１において切替部１５の上流側に設けられた最後の搬送ローラーである搬送ローラー１３Ｅ（本発明における第１搬送ローラーの一例）との抵触を避けるために、第４搬送路１２Ｄ（本発明における第３搬送路の一例）で搬送される原稿の搬送方向Ｄ４において切替部１５の下流側に設けられた最初の搬送ローラーである搬送ローラー１３Ｃ（本発明における第３搬送ローラーの一例）が、搬送ローラー１３Ｅよりも、切替部１５から離れて配置されている。この場合、第３搬送路１２Ｃ（本発明における第２搬送路の一例）において第３搬送路１２Ｃから第４搬送路１２Ｄに向けて搬送される原稿の搬送方向Ｄ４において切替部１５の上流側に設けられた最後の搬送ローラーである搬送ローラー１３Ｇ（本発明における第２搬送ローラーの一例）と搬送ローラー１３Ｃとの間の経路長が、搬送ローラー１３Ｅと搬送ローラー１３Ｇとの間の経路長よりも長くなり、搬送ローラー１３Ｇと搬送ローラー１３Ｃとの間の経路長が長距離化する。そこで、画像形成装置１０では、搬送ローラー１３Ｇと搬送ローラー１３Ｃとの間の経路長に基づいて、画像形成装置１０における原稿の搬送可能サイズが設定されている。
【００４４】
一方、画像形成装置１０による画像読取の対象となる原稿には、前記搬送可能サイズよりサイズが小さい原稿も含まれる。そのため、画像形成装置１０では、前記搬送可能サイズよりサイズが小さい原稿が搬送されるケースが考えられる。ここで、画像形成装置１０で前記搬送可能サイズ未満のサイズの原稿が搬送される場合において、当該原稿の搬送方向における長さが搬送ローラー１３Ｇと搬送ローラー１３Ｃとの間の経路長に満たない場合には、当該原稿が搬送ローラー１３Ｇと搬送ローラー１３Ｃとの間で搬送力を失って停止することが考えられる。
【００４５】
これに対し、本発明の実施形態に係る画像形成装置１０では、以下に説明するように、切替部１５を挟んで配置される搬送ローラー間で原稿が搬送力を失って停止する可能性を低減することが可能である。
【００４６】
具体的に、制御部５の前記ＲＯＭには、前記ＣＰＵに後述の第１搬送制御処理（図６のフローチャート参照）及び第２搬送制御処理（図７のフローチャート参照）を実行させるための搬送制御プログラムが予め記憶されている。なお、前記搬送制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭなどの記憶装置にインストールされるものであってもよい。
【００４７】
そして、制御部５は、図２に示されるように、検出処理部５１、搬送制御部５２、第１報知処理部５３、第１取得処理部５４、第２報知処理部５５、及び第２取得処理部５６を含む。具体的に、制御部５は、前記ＣＰＵを用いて前記ＲＯＭに記憶されている前記搬送制御プログラムを実行する。これにより、制御部５は、検出処理部５１、搬送制御部５２、第１報知処理部５３、第１取得処理部５４、第２報知処理部５５、及び第２取得処理部５６として機能する。ここに、ＡＤＦ１及び制御部５を備える構成が、本発明における原稿搬送装置の一例である。
【００４８】
検出処理部５１は、原稿の搬送方向における長さが搬送ローラー１３Ｇと搬送ローラー１３Ｃとの間の経路長よりも短いか否かを、搬送ローラー１３Ｇによる原稿の搬送可能期間経過前に検出する。ここで、前記搬送可能期間とは、原稿が第２経路Ｒ２及び第３経路Ｒ３に沿って搬送される場合の原稿の搬送期間内における、原稿と搬送ローラー１３Ｇとが接触している期間である。
【００４９】
ここで、ＡＤＦ１では、搬送ローラー１３Ｇとの抵触を避けるために、第２搬送路１２Ｂ上の原稿の搬送方向Ｄ２において切替部１５の下流側に設けられた最初の搬送ローラーである搬送ローラー１３Ｆ（本発明における第４搬送ローラーの一例）が、搬送ローラー１３Ｇよりも、切替部１５から離れて配置されている。これにより、搬送ローラー１３Ｅと搬送ローラー１３Ｆとの間の経路長が、搬送ローラー１３Ｅと搬送ローラー１３Ｇとの間の経路長よりも長くなり、搬送ローラー１３Ｅと搬送ローラー１３Ｆとの間の経路長が長距離化している。そのため、ＡＤＦ１で前記搬送可能サイズ未満のサイズの原稿が搬送される場合において、当該原稿の搬送方向における長さが搬送ローラー１３Ｅと搬送ローラー１３Ｆとの間の経路長に満たない場合には、当該原稿が搬送ローラー１３Ｅと搬送ローラー１３Ｆとの間で搬送力を失って停止することも考えられる。
【００５０】
そこで、検出処理部５１は、原稿の搬送方向における長さが搬送ローラー１３Ｅと搬送ローラー１３Ｆとの間の経路長よりも短いか否かを、当該原稿が切替部１５に到達する前に検出する。
【００５１】
具体的に、検出処理部５１は、原稿センサー１６から入力される前記検出信号に基づいて、原稿の搬送方向における長さを検出する。そして、検出処理部５１は、原稿の搬送方向における長さの検出結果に基づいて、当該原稿の搬送方向における長さが搬送ローラー１３Ｇと搬送ローラー１３Ｃとの間の経路長よりも短いか否かを検出する。また、検出処理部５１は、原稿の搬送方向における長さの検出結果に基づいて、当該原稿の搬送方向における長さが搬送ローラー１３Ｅと搬送ローラー１３Ｆとの間の経路長よりも短いか否かを検出する。
【００５２】
なお、原稿センサー１６は、搬送路１２における検出位置Ｐ２とは異なる位置に設けられていてもよい。具体的に、原稿センサー１６は、第１搬送路１２Ａにおける接続部１２１から搬送方向Ｄ１の上流側に搬送ローラー１３Ｅと搬送ローラー１３Ｆとの間の経路長だけ遡った位置よりも搬送方向Ｄ１の上流側の任意の位置に設けられていてよい。ここで、原稿センサー１６が第１搬送路１２Ａにおける搬送ローラー１３Ｃより搬送方向Ｄ１の下流側に設けられる場合には、原稿センサー１６による原稿の搬送方向における長さの検出期間中に原稿の搬送が停止されることがないため、原稿センサー１６による検出精度が向上する。
【００５３】
また、検出処理部５１は、原稿の搬送方向における長さが搬送ローラー１３Ｅと搬送ローラー１３Ｆとの間の経路長よりも短いか否かの検出をしないものであってもよい。この場合、原稿センサー１６は、第１搬送路１２Ａにおける任意の位置、又は第３搬送路１２Ｃにおける搬送ローラー１３Ｇより搬送方向Ｄ３の上流側の任意の位置に設けられていてよい。
【００５４】
また、ＡＤＦ１において、原稿載置部１１に載置される原稿のサイズを検出可能な複数のセンサーが原稿載置部１１に設けられていてもよい。この場合、検出処理部５１は、当該複数のセンサーによる検出結果に基づいて、原稿の搬送方向における長さが搬送ローラー１３Ｇと搬送ローラー１３Ｃとの間の経路長よりも短いか否かを検出してもよい。また、検出処理部５１は、当該複数のセンサーによる検出結果に基づいて、当該原稿の搬送方向における長さが搬送ローラー１３Ｅと搬送ローラー１３Ｆとの間の経路長よりも短いか否かを検出してもよい。
【００５５】
搬送制御部５２は、原稿が第２経路Ｒ２及び第３経路Ｒ３に沿って搬送される場合において、検出処理部５１によって検出される原稿の長さが搬送ローラー１３Ｇと搬送ローラー１３Ｃとの間の経路長（以下「第３経路長」と呼称する）よりも短い場合に、第４搬送路１２Ｄの利用を制限して、原稿を第３搬送路１２Ｃから排紙部１４に排出させる。
【００５６】
具体的に、搬送制御部５２は、原稿が第２経路Ｒ２に沿って搬送された後、搬送ローラー１３Ｇの回転方向の切替を行わずに搬送ローラー１３Ｇの回転駆動を継続させることで、原稿を排紙部１４に排出させる。
【００５７】
また、搬送制御部５２は、原稿が第１経路Ｒ１に沿って搬送される場合において、検出処理部５１によって検出される原稿の長さが搬送ローラー１３Ｅと搬送ローラー１３Ｆとの間の経路長（以下「第１経路長」と呼称する）よりも短い場合は、接続部１２１からの原稿の搬送先を第２搬送路１２Ｂから第３搬送路１２Ｃに切り替える。
【００５８】
具体的に、搬送制御部５２は、切替部１５を前記第１位置から前記第２位置に揺動させて、接続部１２１からの原稿の搬送先を第２搬送路１２Ｂから第３搬送路１２Ｃに切り替える。
【００５９】
また、搬送制御部５２は、検出処理部５１によって検出される原稿の長さが搬送ローラー１３Ｅと搬送ローラー１３Ｇとの間の経路長（以下「第２経路長」と呼称する）よりも短い場合に、原稿の搬送を停止させる。
【００６０】
例えば、搬送制御部５２は、原稿が画像読取位置Ｐ１を通過している期間中に原稿の搬送を停止させる。
【００６１】
なお、搬送制御部５２は、検出処理部５１によって検出される原稿の長さが前記第２経路長よりも短い場合に、原稿の搬送を継続させてもよい。
【００６２】
また、ＡＤＦ１において、第２搬送路１２Ｂ及び第３搬送路１２Ｃのいずれか一方が設けられていない構成が他の実施形態として考えられる。この場合、搬送制御部５２は、検出処理部５１によって検出される原稿の長さに応じて接続部１２１からの原稿の搬送先を切り替える処理を実行しなくてよい。
【００６３】
また、ＡＤＦ１において、第４搬送路１２Ｄが設けられていない構成が他の実施形態として考えられる。この場合、搬送制御部５２は、検出処理部５１によって検出される原稿の長さに応じて第４搬送路１２Ｄの利用を制限する処理を実行しなくてよい。
【００６４】
第１報知処理部５３は、原稿が第１経路Ｒ１に沿って搬送される場合において、搬送制御部５２による搬送先の切替により第３搬送路１２Ｃを通過して排紙部１４へ排出される原稿の枚数が予め定められた閾値を超える場合に、原稿の搬送を停止させて排紙部１４からの原稿の回収が必要である旨を報知する。
【００６５】
例えば、第１報知処理部５３は、警告音を鳴動させると共に、排紙部１４からの原稿の回収が必要である旨のメッセージを含む第１報知画面を操作表示部６に表示させる。そして、第１報知処理部５３は、前記第１報知画面において受け付けられるユーザー操作に応じて、原稿の搬送を再開させる。
【００６６】
なお、制御部５は、第１報知処理部５３を含んでいなくてもよい。
【００６７】
第１取得処理部５４は、原稿が第２経路Ｒ２及び第３経路Ｒ３に沿って搬送される場合において、第４搬送路１２Ｄを通過前の原稿から画像読取部２によって読み取られる画像データを原稿の表面（第１面）の画像データとして取得し、第４搬送路１２Ｄを通過後の原稿から画像読取部２によって読み取られる画像データを原稿の裏面（第２面）の画像データとして取得する。
【００６８】
第２報知処理部５５は、原稿が第２経路Ｒ２及び第３経路Ｒ３に沿って搬送される場合において、搬送制御部５２によって原稿が第３搬送路１２Ｃから排紙部１４に排出される場合に、排紙部１４に排出される特定原稿の裏面（第２面）の画像データが読み取られていない旨を報知する。ここに、第２報知処理部５５が、本発明における報知処理部の一例である。
【００６９】
例えば、第２報知処理部５５は、警告音を鳴動させると共に、前記特定原稿の裏面（第２面）の画像データが読み取られていない旨のメッセージを含む第２報知画面を操作表示部６に表示させる。
【００７０】
第２取得処理部５６は、第２報知処理部５５による報知後に受け付けられるユーザー操作に応じて原稿の一方の面の画像データを読み取る片面読取処理を実行し、前記片面読取処理によって読み取られる画像データを前記特定原稿の裏面（第２面）の画像データとして取得する。
【００７１】
例えば、第２取得処理部５６は、前記第２報知画面において受け付けられるユーザー操作に応じて、前記片面読取処理を実行する。
【００７２】
また、第２取得処理部５６は、前記片面読取処理の実行中に検出処理部５１によって検出される原稿の長さが前記特定原稿と一致しない場合にその旨を報知し、報知後に受け付けられるユーザー操作に応じて前記片面読取処理によって読み取られる画像データを前記特定原稿の裏面（第２面）の画像データとして取得する。
【００７３】
例えば、第２取得処理部５６は、原稿の長さが前記特定原稿と一致しない旨のメッセージを含む第３報知画面を操作表示部６に表示させる。そして、第２取得処理部５６は、前記第３報知画面において受け付けられるユーザー操作に応じて、前記片面読取処理によって読み取られる画像データを前記特定原稿の裏面（第２面）の画像データとして取得する。なお、第２取得処理部５６は、前記第３報知画面の表示を実行しなくてもよい。
【００７４】
なお、制御部５は、第１取得処理部５４、第２報知処理部５５、及び第２取得処理部５６を含んでいなくてもよい。
【００７５】
［第１搬送制御処理］
以下、図６を参照しつつ、画像形成装置１０において制御部５により実行される第１搬送制御処理の手順の一例について説明する。ここで、ステップＳ１１、Ｓ１２・・・は、制御部５により実行される処理手順（ステップ）の番号を表している。なお、前記第１搬送制御処理は、原稿載置部１１に載置される原稿の表面（第１面）の画像の読み取りを指示するユーザー操作が行われた場合に実行される。
【００７６】
＜ステップＳ１１＞
まず、ステップＳ１１において、制御部５は、原稿載置部１１に載置された原稿を第１経路Ｒ１（図３参照）に沿って搬送させる。具体的に、制御部５は、前記駆動部を駆動させて切替部１５を前記第１位置に配置させた後、前記モーターを駆動させて搬送ローラー１３Ａ〜１３Ｇを回転させる。
【００７７】
＜ステップＳ１２＞
ステップＳ１２において、制御部５は、原稿の搬送方向における長さを検出する。具体的に、制御部５は、原稿センサー１６から入力される前記検出信号に基づいて、原稿の搬送方向における長さを検出する。ここで、ステップＳ１２の処理は、制御部５の検出処理部５１により実行される。
【００７８】
＜ステップＳ１３＞
ステップＳ１３において、制御部５は、画像読取部２を用いて、画像読取位置Ｐ１を通過する原稿から画像データを読み取る。
【００７９】
＜ステップＳ１４＞
ステップＳ１４において、制御部５は、ステップＳ１２で検出された原稿の長さが前記第１経路長よりも短いか否かを判断する。
【００８０】
ここで、制御部５は、ステップＳ１２で検出された原稿の長さが前記第１経路長よりも短いと判断すると（Ｓ１４のＹｅｓ側）、処理をステップＳ１５に移行させる。また、ステップＳ１２で検出された原稿の長さが前記第１経路長以上であれば（Ｓ１４のＮｏ側）、制御部５は、処理をステップＳ１９に移行させる。
【００８１】
＜ステップＳ１５＞
ステップＳ１５において、制御部５は、ステップＳ１２で検出された原稿の長さが前記第２経路長よりも短いか否かを判断する。
【００８２】
ここで、制御部５は、ステップＳ１２で検出された原稿の長さが前記第２経路長よりも短いと判断すると（Ｓ１５のＹｅｓ側）、処理をステップＳ１５１に移行させる。また、ステップＳ１２で検出された原稿の長さが前記第２経路長以上であれば（Ｓ１５のＮｏ側）、制御部５は、処理をステップＳ１６に移行させる。
【００８３】
＜ステップＳ１５１＞
ステップＳ１５１において、制御部５は、原稿の搬送を停止させる。例えば、制御部５は、原稿が画像読取位置Ｐ１を通過している期間中に原稿の搬送を停止させる。ここで、ステップＳ１５１の処理は、制御部５の搬送制御部５２により実行される。これにより、原稿が搬送ローラー１３Ｅと搬送ローラー１３Ｇとの間で搬送力を失って停止することが回避される。そのため、筐体１Ａの内部で詰まった原稿の回収が困難になることが回避される。
【００８４】
なお、制御部５は、原稿の搬送の停止後に受け付けられるユーザー操作に応じて、原稿の搬送を再開させる。また、制御部５は、搬送が停止された原稿の画像データの読取が終了していない場合には、その旨のメッセージを操作表示部６に表示させる。
【００８５】
＜ステップＳ１６＞
ステップＳ１６において、制御部５は、接続部１２１からの原稿の搬送先を第２搬送路１２Ｂから第３搬送路１２Ｃに切り替える。ここで、ステップＳ１６の処理は、制御部５の搬送制御部５２により実行される。これにより、原稿が搬送ローラー１３Ｅと搬送ローラー１３Ｆとの間で搬送力を失って停止することが回避される。そのため、筐体１Ａの内部で詰まった原稿の回収が困難になることが回避される。
【００８６】
＜ステップＳ１７＞
ステップＳ１７において、制御部５は、ステップＳ１６の処理が実行されて第３搬送路１２Ｃを通過して排紙部１４へ排出される原稿の枚数が前記閾値を超えたか否かを判断する。
【００８７】
ここで、制御部５は、第３搬送路１２Ｃを通過して排紙部１４へ排出される原稿の枚数が前記閾値を超えたと判断すると（Ｓ１７のＹｅｓ側）、処理をステップＳ１８に移行させる。また、第３搬送路１２Ｃを通過して排紙部１４へ排出される原稿の枚数が前記閾値を超えていなければ（Ｓ１７のＮｏ側）、制御部５は、処理をステップＳ１９に移行させる。
【００８８】
＜ステップＳ１８＞
ステップＳ１８において、制御部５は、原稿の搬送を停止させて排紙部１４からの原稿の回収が必要である旨を報知する。ここで、ステップＳ１８の処理は、制御部５の第１報知処理部５３により実行される。これにより、第３搬送路１２Ｃが、第３搬送路１２Ｃにおいて原稿が排出されることを想定して設計されていない場合に、第３搬送路１２Ｃから原稿が排出されることにより生じる不具合（例えば、紙詰まり、排紙部１４に排出される原稿の不揃いなど）を早期に解消可能である。
【００８９】
例えば、制御部５は、警告音を鳴動させると共に、排紙部１４からの原稿の回収が必要である旨のメッセージを含む前記第１報知画面を操作表示部６に表示させる。そして、制御部５は、前記第１報知画面において受け付けられるユーザー操作に応じて、原稿の搬送を再開させる。
【００９０】
＜ステップＳ１９＞
ステップＳ１９において、制御部５は、原稿載置部１１に原稿が残存しているか否かを判断する。例えば、制御部５は、原稿載置部１１に設けられた不図示の原稿検出センサーを用いて、原稿載置部１１に原稿が残存しているか否かを判断する。
【００９１】
ここで、制御部５は、原稿載置部１１に原稿が残存していると判断すると（Ｓ１９のＹｅｓ側）、処理をステップＳ１１に移行させる。また、原稿載置部１１に原稿が残存していなければ（Ｓ１９のＮｏ側）、制御部５は、前記第１搬送制御処理を終了させる。
【００９２】
なお、制御部５は、ステップＳ１１において、予め行われたユーザーの選択操作に応じて原稿載置部１１に載置された原稿を第２経路Ｒ２（図４参照）に沿って搬送させてもよい。この場合、制御部５は、ステップＳ１４及びステップＳ１６〜Ｓ１８の処理を省略してよい。
【００９３】
［第２搬送制御処理］
次に、図７を参照しつつ、画像形成装置１０において制御部５により実行される第２搬送制御処理の手順の一例について説明する。なお、前記第２搬送制御処理は、原稿載置部１１に載置される原稿の表面（第１面）及び裏面（第２面）の画像の読み取りを指示するユーザー操作が行われた場合に実行される。
【００９４】
＜ステップＳ２１＞
まず、ステップＳ２１において、制御部５は、原稿載置部１１に載置された原稿を第２経路Ｒ２（図４参照）に沿って搬送させる。具体的に、制御部５は、前記駆動部を駆動させて切替部１５を前記第２位置に配置させた後、前記モーターを駆動させて搬送ローラー１３Ａ〜１３Ｇを回転させる。
【００９５】
＜ステップＳ２２＞
ステップＳ２２において、制御部５は、前記第１搬送制御処理のステップＳ１２と同様に、原稿の搬送方向における長さを検出する。
【００９６】
＜ステップＳ２３＞
ステップＳ２３において、制御部５は、画像読取部２を用いて、画像読取位置Ｐ１を通過する原稿から画像データを読み取る。
【００９７】
＜ステップＳ２４＞
ステップＳ２４において、制御部５は、ステップＳ２３で読み取られた画像データを原稿の表面（第１面）の画像データとして取得する。ここで、ステップＳ２４の処理は、制御部５の第１取得処理部５４により実行される。
【００９８】
＜ステップＳ２５＞
ステップＳ２５において、制御部５は、ステップＳ２２で検出された原稿の長さが前記第３経路長よりも短いか否かを判断する。
【００９９】
ここで、制御部５は、ステップＳ２２で検出された原稿の長さが前記第３経路長よりも短いと判断すると（Ｓ２５のＹｅｓ側）、処理をステップＳ２６に移行させる。また、ステップＳ２２で検出された原稿の長さが前記第３経路長以上であれば（Ｓ２５のＮｏ側）、制御部５は、処理をステップＳ２５１に移行させる。
【０１００】
＜ステップＳ２５１＞
ステップＳ２５１において、制御部５は、搬送ローラー１３Ｇまで搬送された原稿を第３経路Ｒ３（図５参照）に沿って搬送させる。具体的に、制御部５は、前記駆動部を駆動させて切替部１５を前記第１位置に配置させた後、前記モーターから搬送ローラー１３Ｇへの回転駆動力の伝達経路を切り替えて、搬送ローラー１３Ｇを逆回転させると共に、他の搬送ローラーを回転させる。
【０１０１】
＜ステップＳ２５２＞
ステップＳ２５２において、制御部５は、画像読取部２を用いて、画像読取位置Ｐ１を通過する原稿から画像データを読み取る。
【０１０２】
＜ステップＳ２５３＞
ステップＳ２５３において、制御部５は、ステップＳ２５２で読み取られた画像データを原稿の裏面（第２面）の画像データとして取得する。ここで、ステップＳ２５３の処理は、制御部５の第１取得処理部５４により実行される。例えば、画像形成装置１０では、ステップＳ２４及びステップＳ２５３で取得された原稿の第１面及び第２面の画像データ各々に基づいて、当該原稿の両面の画像を１枚のシートに印刷する印刷処理が実行される。
【０１０３】
＜ステップＳ２６＞
ステップＳ１５において、制御部５は、ステップＳ２２で検出された原稿の長さが前記第２経路長よりも短いか否かを判断する。
【０１０４】
ここで、制御部５は、ステップＳ２２で検出された原稿の長さが前記第２経路長よりも短いと判断すると（Ｓ２６のＹｅｓ側）、処理をステップＳ２７に移行させる。また、ステップＳ２２で検出された原稿の長さが前記第２経路長以上であれば（Ｓ２６のＮｏ側）、制御部５は、処理をステップＳ２６１に移行させる。
【０１０５】
＜ステップＳ２６１＞
ステップＳ２６１において、制御部５は、前記第１搬送制御処理のステップＳ１５１と同様に、原稿の搬送を停止させる。これにより、原稿が搬送ローラー１３Ｅと搬送ローラー１３Ｇとの間で搬送力を失って停止することが回避される。そのため、筐体１Ａの内部で詰まった原稿の回収が困難になることが回避される。
【０１０６】
なお、制御部５は、原稿の搬送の停止後に受け付けられるユーザー操作に応じて、原稿の搬送を再開させる。また、制御部５は、搬送が停止された原稿の第１面の画像データの読取が終了していない場合には、その旨のメッセージを操作表示部６に表示させる。
【０１０７】
＜ステップＳ２７＞
ステップＳ２７において、制御部５は、第４搬送路１２Ｄの利用を制限して、原稿を第３搬送路１２Ｃから排紙部１４に排出させる。ここで、ステップＳ２７の処理は、制御部５の搬送制御部５２により実行される。これにより、原稿が搬送ローラー１３Ｇと搬送ローラー１３Ｃとの間で搬送力を失って停止することが回避される。そのため、筐体１Ａの内部で詰まった原稿の回収が困難になることが回避される。
【０１０８】
＜ステップＳ２８＞
ステップＳ２８において、制御部５は、ステップＳ２７で排紙部１４に排出される前記特定原稿の裏面（第２面）の画像データが読み取られていない旨を報知する。ここで、ステップＳ２８の処理は、制御部５の第２報知処理部５５により実行される。
【０１０９】
例えば、制御部５は、警告音を鳴動させると共に、前記特定原稿の第２面の画像データが読み取られていない旨のメッセージを含む前記第２報知画面を操作表示部６に表示させる。
【０１１０】
＜ステップＳ２９＞
ステップＳ２９において、制御部５は、前記第２報知画面において前記片面読取処理の実行操作が行われたか否かを判断する。
【０１１１】
ここで、制御部５は、前記第２報知画面において前記片面読取処理の実行操作が行われたと判断すると（Ｓ２９のＹｅｓ側）、処理をステップＳ３０に移行させる。また、前記第２報知画面において前記片面読取処理の実行操作が行われていなければ（Ｓ２９のＮｏ側）、制御部５は、処理をステップＳ３１に移行させる。
【０１１２】
＜ステップＳ３０＞
ステップＳ３０において、制御部５は、後述する前記片面読取処理を実行する。
【０１１３】
＜ステップＳ３１＞
ステップＳ３１において、制御部５は、前記第１搬送制御処理のステップＳ１９と同様に、原稿載置部１１に原稿が残存しているか否かを判断する。
【０１１４】
ここで、制御部５は、原稿載置部１１に原稿が残存していると判断すると（Ｓ３１のＹｅｓ側）、処理をステップＳ２１に移行させる。また、原稿載置部１１に原稿が残存していなければ（Ｓ３１のＮｏ側）、制御部５は、前記第２搬送制御処理を終了させる。
【０１１５】
［片面読取処理］
次に、図８を参照しつつ、前記第２搬送制御処理のステップＳ３０で実行される前記片面読取処理の手順の一例について説明する。ここで、前記片面読取処理は、制御部５の第２取得処理部５６によって実行される。
【０１１６】
＜ステップＳ４１＞
まず、ステップＳ４１において、制御部５は、前記第２搬送制御処理のステップＳ２１と同様に、原稿載置部１１に載置された原稿を第２経路Ｒ２（図４参照）に沿って搬送させる。
【０１１７】
＜ステップＳ４２＞
ステップＳ４２において、制御部５は、前記第１搬送制御処理のステップＳ１２と同様に、原稿の搬送方向における長さを検出する。
【０１１８】
＜ステップＳ４３＞
ステップＳ４３において、制御部５は、画像読取部２を用いて、画像読取位置Ｐ１を通過する原稿から画像データを読み取る。
【０１１９】
＜ステップＳ４４＞
ステップＳ４４において、制御部５は、ステップＳ４２で検出された原稿の長さが、前記第２搬送制御処理のステップＳ２２で検出された前記特定原稿の長さと一致するか否かを判断する。
【０１２０】
ここで、制御部５は、ステップＳ４２で検出された原稿の長さが前記特定原稿の長さと一致すると判断すると（Ｓ４４のＹｅｓ側）、処理をステップＳ４７に移行させる。また、ステップＳ４２で検出された原稿の長さが前記特定原稿の長さと一致しなければ（Ｓ４４のＮｏ側）、制御部５は、処理をステップＳ４５に移行させる。
【０１２１】
＜ステップＳ４５＞
ステップＳ４５において、制御部５は、搬送中の原稿の搬送方向における長さが前記特定原稿の搬送方向における長さと一致しない旨を報知する。これにより、ユーザーが前記特定原稿とは異なる原稿を前記特定原稿であると誤認して前記片面読取処理が実行された場合に、前記特定原稿とは異なる原稿の画像を前記特定原稿の第２面の画像データとして取得することが回避される。
【０１２２】
例えば、制御部５は、原稿の長さが前記特定原稿と一致しない旨のメッセージを含む前記第３報知画面を操作表示部６に表示させる。
【０１２３】
＜ステップＳ４６＞
ステップＳ４６において、制御部５は、ステップＳ４５で表示された前記第３報知画面において、ステップＳ４３で読み取られた画像データを前記特定原稿の第２面の画像データとして取得することを指示する取得操作が行われたか否かを判断する。
【０１２４】
ここで、制御部５は、前記第３報知画面において前記取得操作が行われたと判断すると（Ｓ４６のＹｅｓ側）、処理をステップＳ４７に移行させる。また、前記第３報知画面において前記取得操作に替えて処理のやり直しを指示するユーザー操作が行われた場合は（Ｓ４６のＮｏ側）、制御部５は、前記処理をステップＳ４１に移行させる。
【０１２５】
＜ステップＳ４７＞
ステップＳ４７において、制御部５は、ステップＳ４３で読み取られた画像データを原稿の裏面（第２面）の画像データとして取得する。
【０１２６】
このように、画像形成装置１０では、原稿が第２経路Ｒ２及び第３経路Ｒ３に沿って搬送される場合において、原稿の長さが前記第３経路長よりも短い場合に、第４搬送路１２Ｄの利用が制限されて、原稿が第３搬送路１２Ｃから排紙部１４に排出される。これにより、切替部１５を挟んで配置される搬送ローラー１３Ｇと搬送ローラー１３Ｃとの間で原稿が搬送力を失って停止する可能性を低減することが可能である。
【符号の説明】
【０１２７】
１    ＡＤＦ
２    画像読取部
３    画像形成部
４    給紙部
５    制御部
６    操作表示部
１０  画像形成装置
１１  原稿載置部
１２  搬送路
１３Ａ〜１３Ｇ  搬送ローラー
１４  排紙部
１５  切替部
１６  原稿センサー
５１  検出処理部
５２  搬送制御部
５３  第１報知処理部
５４  第１取得処理部
５５  第２報知処理部
５６  第２取得処理部
【図１】
2018191196.tif 000003
【図２】
2018191196.tif 000004
【図３】
2018191196.tif 000005
【図４】
2018191196.tif 000006
【図５】
2018191196.tif 000007
【図６】
2018191196.tif 000008
【図７】
2018191196.tif 000009
【図８】
2018191196.tif 000010